(57)【要約】      （修正有）【課題】体裁が良く、組立が容易で、コンパクトに折り畳み収納できる折り畳みトイレを提供する。【解決手段】台座３に備えた折部３ａと３ｂを外側に開き、底敷板４を台座３に設けた開口部３ｄより台座３に設けた底部３ｃまで押入れ、便座孔２ａを備えた便座２を台座３の開口部３ｄに被せることで折り畳みトイレの組立ができる。便座２に座面１ａを備えた上蓋１を上蓋１に設けた開口部１ｂより重ね被せることで、便座孔２ａが隠され、体裁よく椅子として利用できるよう形成され、台座３より底敷板４を取り出し、台座３の前記折部３ａと３ｂを内側に折り畳み、折り畳まれた台座３と底敷板４を重ね合わせ、便座２の開口部２ｃより収納し、収納された便座２を上蓋１の開口部１ｂより収納するよう形成される。【選択図】図３
0003192489.tif 000002
【実用新案登録請求の範囲】
【請求項１】
底部（３ｃ）を柔軟素材で設けることで折り畳めるよう箱型した台座（３）は、前記底部（３ｃ）と対する側に開口部（３ｄ）を設け、前記開口部（３ｄ）を開き、前記底部（３ｃ）と同サイズの底敷板（４）を前記底部（３ｃ）まで押入れることで箱型を規制するよう形成された前記台座（３）と、座面（２ｂ）に排泄物を収納する収納袋（５）を装入できるよう形成された便座孔（２ａ）を備え、前記座面（２ｂ）と対する側に開口部（２ｃ）を設けている便座（２）は、前記台座（３）の前記開口部（３ｄ）に前記便座（２）の前記開口部（２ｃ）を被せることで、組立ができることを特徴とする折り畳みトイレ。
【請求項２】
座面（１ａ）を備え、前記座面（１ａ）と対する側に開口部（１ｂ）を設けた上蓋（１）を、前記台座（３）と前記底敷板（４）と前記便座（２）で組立てられた前記便座（２）の前記座面（２ｂ）に重ね被せることで、椅子として利用できることを特徴とする前記請求項１記載の折り畳みトイレ。
【請求項３】
前記台座（３）は対する２面が内側に折り曲がるよう折部（３ａ）と（３ｂ）を備え、前記折部（３ａ）と（３ｂ）が内側に折り曲がることで、前記台座（３）は箱型が折り畳められるように形成され、前記台座（３）を折り畳んだものと、前記底敷板（４）を重ね合わせ、前記便座（２）の前記開口部（２ｃ）より収納でき、収納された前記便座（２）を、前記上蓋（１）の前記開口部（１ｂ）より収納できるよう形成されたことを特徴とする前記請求項１、２記載の折り畳みトイレ。
【考案の詳細な説明】
【技術分野】
【０００１】      本考案は、コンパクトに収納でき、簡単容易にしかも迅速に組立てることができ、組立てて便座に上蓋を被せれば椅子としても利用でき、折り畳み可能なトイレに関するものである。
【背景技術】
【０００２】      従来から、排泄物を収納するために収納袋を装着することができ、組立てることができ、折り畳むことができ、排便をするために座ることができる便座を備えた折り畳みトイレは既に知られている。
【先行技術文献】
【特許文献１】特開２０１２−２３２０５３
【特許文献２】特許４８６０２９０
【特許文献３】実登３１７９６２３
【０００３】      しかし、従来の簡易トイレは、特許文献１や特許文献２や特許文献３のように、組立て手順図などを見ながらでも組立しにくいという問題があった。また、折り畳んで収納するにしてもかなりの面積が必要とされるなど問題があった。
【考案の概要】
【考案が解決しようとする課題】
【０００４】      本考案は、上記従来の問題点を解決するものであり、コンパクトに折り畳めて、しかも組立が容易にできるようにした折り畳みトイレを提供することを課題とする。
【課題を解決するための手段】
【０００５】      上記目的を達成するために本考案は、箱型に形成された台座が折り畳みできるように底部を柔軟素材で設け、台座の中に底敷板を入れることで台座の箱型が規制され、台座の開口部に便座の開口部を被せることで、折り畳みトイレが組立てられることを特徴としたものである。【０００６】      また組立てられた便座に上蓋の開口部を重ね被せることで、椅子として利用出来ることを特徴としたものである。【０００７】      上蓋と便座を取りはずし、台座の中から底敷板を取り出すと、台座の対する２面が内側に折り曲がり、折り畳んだ台座と底敷板を重ね合わせ、便座の中に収納でき、収納された便座を上蓋に収納できるように形成したものである。【０００８】      本考案の折り畳みトイレは、組立が容易で、コンパクトに折り畳むことができ、組立てたままでも便座に上蓋を重ね被せることで、椅子にも利用できて、体裁も良い折り畳みトイレを提供することができる。
【図面の簡単な説明】
【０００９】
【図１】  本考案の折り畳みトイレの斜視図である。
【図２】  本考案の折り畳みトイレの上蓋を外した斜視図である
【図３】  本考案の折り畳みトイレの構造を示す分解斜視図である。
【図４】  本考案の折り畳みトイレの折り畳み収納を示す側断面図である。
【図５】  本考案の折り畳みトイレの構造を示す分解側断面図である。
【図６】  本考案の折り畳みトイレの側断面図である。
【図７】  本考案の折り畳みトイレの上蓋を外した側断面図である。
【図８】  本考案の折り畳みトイレの台座の折り畳む過程を示す斜視図である
【図９】  本考案の折り畳みトイレに収納袋の装着を示す側断面図である。
【考案を実施するための形態】
【００１０】      次に、各図を参照しながら、本考案の実施の形態について説明する。
【００１１】      図１と図２に基づいて説明する。図１は、折り畳みができるように箱型に形成された台座３に便座２が被さり、便座２に上蓋１が重ね被さり、椅子として利用できるように形成されている。図２は、上蓋１を取りはずすと座面２ｂに便座孔２ａが備えてある便座２が現れトイレとして利用できるようになる。
【００１２】      図３と図５から図７に基づいて説明する。図３と図５から図７は、開けた台座３の開口部３ｄより底敷板４を台座３の底部３ｃまで押入れ、台座３の開口部３ｄに便座２の開口部２ｃを被せることで組立ができる。台座３の底部３ｃは柔軟素材で設けてあり、底部３ｃと同サイズの底敷板４を入れることで台座３の箱型が規制するよう形成されている。底敷板４の取手４ａは分解する時に底敷板４を引き上げ易いように備えている。組立てた便座２に上蓋１の開口部１ｂより重ね被せることで便座２の座面２ｂに備えた便座孔２ａが隠れて上蓋１の座面１ａに座れるようになり、椅子として利用できるように形成されている。
【００１３】      図４に基づいて説明する。  図４は、底敷板４と折り畳んだ台座３を重ね合わせ、便座２の開口部２ｃより収納でき、収納された便座２は上蓋１の開口部１ｂより収納できるよう形成されている。
【００１４】      図８基づいて説明する。図８は、台座３には折部３ａと３ｂが設けてあり、折り畳む時に折部３ａと３ｂが内側に折り曲がるように形成されている。
【００１５】      図９に基づいて説明する。図９は、組立てた便座２の座面２ｂに備えた便座孔２ａより収納袋５を装入し、便座２を覆うように収納袋５を装着することで、便座２を汚すことなく使用できる。なお、この収納袋５は、市販の袋であっても良い。
【符号の説明】  １・・・・・・上蓋
１ａ・・・・・座面
１ｂ・・・・・開口部
２・・・・・・便座
２ａ・・・・・便座孔
２ｂ・・・・・座面
２ｃ・・・・・開口部
３・・・・・・台座
３ａ・・・・・折部
３ｂ・・・・・折部
３ｃ・・・・・底部
３ｄ・・・・・開口部
４・・・・・・底敷板
４ａ・・・・・取手
５・・・・・・収納袋
【図１】
0003192489.tif 000003
【図２】
0003192489.tif 000004
【図３】
0003192489.tif 000005
【図４】
0003192489.tif 000006
【図５】
0003192489.tif 000007
【図６】
0003192489.tif 000008
【図７】
0003192489.tif 000009
【図８】
0003192489.tif 000010
【図９】
0003192489.tif 000011
【手続補正書】
【提出日】平成26年5月29日(2014.5.29)
【手続補正１】
【補正対象書類名】実用新案登録請求の範囲
【補正対象項目名】請求項３
【補正方法】変更
【補正の内容】
【請求項３】
前記台座（３）は対する２面が内側に折り曲がるよう折部（３ａ）と（３ｂ）を備え、前記折部（３ａ）と（３ｂ）が内側に折り曲がることで、前記台座（３）は箱型が折り畳められるように形成され、前記台座（３）を折り畳んだものと、前記底敷板（４）を重ね合わせ、前記便座（２）の前記開口部（２ｃ）より収納でき、収納された前記便座（２）を、上蓋（１）の開口部（１ｂ）より収納できるよう形成されたことを特徴とする前記請求項２記載の折り畳みトイレ。